(57)【要約】【課題】電力系統運用側の処理負荷およびを需要家側の設備負担等を大きくすることなく、効率的に需要化の二次電池の充電制御を行う。【解決手段】複数の需要家の二次電池をグループ化し、これを集合的に処理する中間処理装置を設け、需要家側装置と中間処理装置との間では、需要家ごとの二次電池の充電スケジュールを管理し、中間処理装置と系統運用側装置との間では、系統への影響度に応じて、グループ化した需要家の集合に応じた二次電池への充電スケジュールの調整を行う。【選択図】図１
2011254617.tif 000002
【特許請求の範囲】
【請求項１】
系統運用側装置と中間処理装置と需要家側装置とからなり、１日のうちで予め定められた時間帯の電力により需要家側に設置された二次電池への充電を制御するための充電制御システムであって、
前記系統運用側装置は、
複数の需要家からなるグループを生成するグループ生成手段を有し、
前記中間処理装置は、
前記生成されたグループに対応して設けられ、
前記グループ内の各需要家の前記二次電池の充電状態を取得する充電状態取得手段と、
前記グループ内の各需要家から充電スケジュールを収集し、グループ充電スケジュールを生成するグループ充電スケジュール生成手段と、
該生成したグループ充電スケジュールと需要家の二次電池が前記時間帯の終了時に予定された充電レベルとなるために必要な電力量とから調整条件を算出する調整条件算出手段と、
前記生成したグループ充電スケジュールと前記算出した調整条件とを前記系統運用側装置に送信する第１の送信手段と、
を有し、
前記系統運用側装置は、
前記調整条件の範囲で、系統運用に好ましいように前記グループ充電スケジュールを補正するグループ充電スケジュール補正手段と、
該補正グループ充電スケジュールを前記中間処理装置に送信する第２の送信手段と、
を有し、
前記中間処理装置は、前記補正グループ充電スケジュールに基づいて、グループ内の各需要家の前記充電スケジュールを変更する充電スケジュール変更手段と、
該変更後の補正需要家別充電スケジュールを各需要家に送信する第３の送信手段と、
を有し、
前記需要家側装置は、
前記二次電池の充電量を測定する充電量測定手段と、
受信した前記補正需要家別充電スケジュールに基づいて、前記二次電池の充電を制御する充電制御手段と、
を有することを特徴とする充電制御システム。
【請求項２】
前記グループ生成手段は、前記グループを電力系統への影響度が同等である需要家から構成することを特徴とする請求項１に記載の充電制御システム。
【請求項３】
前記グループ生成手段は、前記グループを同一の送電線から給電を受ける近接した需要家から構成することを特徴とする請求項１または請求項２に記載の充電制御システム。
【請求項４】
前記系統運用側装置と前記中間処理装置、前記中間処理装置と前記需要家側装置が、インターネット網を介して通信可能に接続されていることを特徴とする請求項１または請求項３に記載の充電制御システム。
【請求項５】
前記系統運用側装置と前記中間処理装置、前記中間処理装置と前記需要家側装置が、電力線通信により通信可能に接続されていることを特徴とする請求項１に記載の充電制御システム。
【請求項６】
系統運用側装置と中間処理装置と需要家側装置とからなり、１日のうちで予め定められた時間帯の電力により需要家側に設置された二次電池への充電を制御するための充電制御システムにおける充電制御方法であって、
前記系統運用側装置が、複数の需要家からなるグループを生成する第１のステップと、
前記生成されたグループに対応して設けられた前記中間処理装置が、前記グループ内の各需要家の前記二次電池の充電状態を取得する第２のステップと、
前記グループ内の各需要家から充電スケジュールを収集し、グループ充電スケジュールを生成する第３のステップと、
該生成したグループ充電スケジュールと需要家の二次電池が前記時間帯の終了時に予定された充電レベルとなるために必要な電力量とから調整条件を算出する第４のステップと、
前記生成したグループ充電スケジュールと前記算出した調整条件とを前記系統運用側装置に送信する第５のステップと、
前記系統運用側装置が、前記調整条件の範囲で、系統運用に好ましいように前記グループ充電スケジュールを補正する第６のステップと、
該補正グループ充電スケジュールを前記中間処理装置に送信する第７のステップと、
前記中間処理装置が、前記補正グループ充電スケジュールに基づいて、グループ内の各需要家の前記充電スケジュールを変更する第８のステップと、
該変更後の補正需要家別充電スケジュールを各需要家に送信する第９のステップと、
前記需要家側装置が、受信した前記補正需要家別充電スケジュールに基づいて、前記二次電池の充電を制御する第１０のステップと、
を有することを特徴とする充電制御方法。
【発明の詳細な説明】
【技術分野】
【０００１】
本発明は、需要家側に配置された二次電池の充電を制御する充電制御システムおよび充電制御方法に関する。
【背景技術】
【０００２】
電力会社では、原子力発電や火力発電、水力発電等の設備を稼動させて需要家に対して必要な電力を供給しているが、２４時間稼動しつづけなくてはならない原子力発電所や炉の温度を下げずに効率よく発電を行う火力発電所が存在し、夜間等負荷が小さい時は、これらの占める割合が高くなっている。
【０００３】
また、電力会社は、現在、夜間（例えば、深夜１１時から早朝７時までの間）に発電した電力の電気料金を割安に設定し、この夜間の安い電力を用いて、蓄熱機器等によりお湯を沸かし、これを昼間に利用するシステムを提案している。つまり、夜間の電力を有効に活用すれば、昼間の電力需要のピークを抑制することができ、さらに、電力消費を平準化して、発電効率を高めることができる。
【０００４】
今後、普及が見込まれる電気自動車等、需要家に設置される二次電池は、夜間の安い電力により充電することが想定される。しかしながら、数多くの二次電池が需要家の間で普及した場合、その充電する時間帯がある時間帯に集中してしまうと、電力需要のピークが生じて、電力の供給に不都合な事態を生じさせることも考えられる。
【０００５】
こうしたことから、電力系統に接続された負荷により消費される予測電力消費量の時間変化と電力系統に供給される予定供給電力量の時間変化とを比較することにより、電力貯蔵手段に充電を行う充電時間帯を決める充電時間帯設定手段と、該充電時間帯設定手段により決められた充電時間帯に電力貯蔵手段に対する充電が行われるように充電制御を行う充電制御手段とを備える電力貯蔵装置が開示されている（例えば、特許文献１参照。）。
【０００６】
また、蓄電池の充電残量を監視し、電力供給側の充電推奨時間帯情報および充電残量を含む制御要因情報から蓄電池を充電する時間帯の情報を含む充電制御情報を決定し、充電制御情報に基づいて蓄電池に充電を行う蓄電装置の充電制御方法が開示されている（例えば、特許文献２参照。）。
【先行技術文献】
【特許文献】
【０００７】
【特許文献１】特開２００２−２３３０５４号公報
【特許文献２】特開２００８−６７４１８号公報
【発明の概要】
【発明が解決しようとする課題】
【０００８】
しかしながら、上記特許文献１に記載の技術は、需要家の二次電池の運転スケジュールを、電力会社（電力系統運用側）の都合に応じて、電力系統運用側がその運転スケジュールを個別に変更し、運転するものであり、上記特許文献２に記載の技術は、各需要者が電力系統運用側の情報を入手し、電力系統運用側の状況に合わせて需要家が二次電池の充電を行うものである。そのため、上記特許文献１に記載の技術では、電力系統運用側がすべての需要家の二次電池を制御することになり、電力系統運用側の処理負荷が膨大になるという問題がある。一方で、上記特許文献２に記載の技術では、すべての需要家が電力系統運用側の情報に基づいて、二次電池の充電制御を行わなければならないが、協調して制御を行うことが難しいという問題がある。
【０００９】
そこで、本発明は、上述の課題に鑑みてなされたものであり、電力系統運用側の処理負荷およびを需要家側の設備負担等を大きくすることなく、効率的に需要家の二次電池の充電制御を行う充電制御システムおよび充電制御方法を提供することを目的とする。
【課題を解決するための手段】
【００１０】
本発明は、上記の課題を解決するために以下の事項を提案している。なお、理解を容易にするために、本発明の実施形態に対応する符号を付して説明するが、これに限定されるものではない。
【００１１】
（１）本発明は、系統運用側装置と中間処理装置と需要家側装置とからなり、１日のうちで予め定められた時間帯の電力により需要家側に設置された二次電池への充電を制御するための充電制御システムであって、前記系統運用側装置は、複数の需要家からなるグループを生成するグループ生成手段（例えば、図２のグループ生成部１０２に相当）を有し、前記中間処理装置は、前記生成された、１または２以上のグループに対応して設けられ、前記グループ内の各需要家の前記二次電池の充電状態を取得する充電状態取得手段と、前記グループ内の各需要家から充電スケジュールを収集し、グループ充電スケジュールを生成するグループ充電スケジュール生成手段（例えば、図３のグループ充電スケジュール生成部２０３に相当）と、該生成したグループ充電スケジュールと需要家の二次電池が前記時間帯の終了時に予定された充電レベルとなるために必要な電力量とから調整条件を算出する調整条件算出手段（例えば、図３の調整条件算定部２０４に相当）と、前記生成したグループ充電スケジュールと前記算出した調整条件とを前記系統運用側装置に送信する第１の送信手段（例えば、図３の送信部２０６に相当）と、を有し、前記系統運用側装置は前記調整条件の範囲で系統運用に好ましいように前記グループ充電スケジュールを補正するグループ充電スケジュール補正手段（例えば、図２のグループ充電スケジュール補正部１０６に相当）と、該補正後のグループ充電スケジュール（補正グループ充電スケジュール）を前記中間処理装置に送信する第２の送信手段（例えば、図２の送信部１０７に相当）と、を有し、前記中間処理装置は、前記補正後のグループ充電スケジュールに基づいて、グループ内の各需要家の前記充電スケジュールを変更する充電スケジュール変更手段（例えば、図３の需要家別充電スケジュール補正部２０５に相当）と、該変更後の補正需要家別充電スケジュールを各需要家に送信する第３の送信手段（例えば、図３の送信部２０６に相当）と、を有し、前記需要家側装置は、前記二次電池の充電量を測定する充電量測定手段（例えば、図４の充電量取得部３０３に相当）と、受信した前記補正需要家別充電スケジュールに基づいて、前記二次電池の充電を制御する充電制御手段（例えば、図４の二次電池制御部３０２に相当）と、を有することを特徴とする充電制御システムを提案している。
【００１２】
この発明によれば、複数の需要家の二次電池をグループ化し、これを集合的に処理する中間処理装置を設け、需要家側装置と中間処理装置との間では、需要家ごとの二次電池の充電スケジュールを管理し、中間処理装置と系統運用側装置との間では、系統への影響度に応じて、グループ化した需要家の集合に応じた二次電池への充電スケジュールの調整を行う。したがって、中間処理装置が系統運用側装置と需要家側装置との間の情報を取りまとめて仲介することにより、電力系統運用側の処理負荷を軽減しつつ、必要な制御を効率的に行うことができる。
【００１３】
（２）本発明は、（１）の充電制御システムについて、前記グループ生成手段は、前記グループを電力系統への影響度が同等である需要家から構成することを特徴とする充電制御システムを提案している。
【００１４】
この発明によれば、グループ生成手段は、グループを電力系統への影響度が同等である需要家から構成する。つまり、系統運用側装置は、系統への影響度に応じて、グループ化した需要家の集合に応じた二次電池への充電スケジュールの調整を行うため、グループ化に際しては、電力系統への影響度が同等であることが望ましい。
【００１５】
（３）本発明は、（１）または（２）の充電制御システムについて、前記グループ生成手段は、前記グループを同一の送電線から給電を受ける近接した需要家から構成することを特徴とする充電制御システムを提案している。
【００１６】
この発明によれば、グループ生成手段は、グループを同一の送電線から給電を受ける近接した需要家から構成する。つまり、同一の送電線から給電を受ける近接した需要家に対しては、電力系統への影響度が同等であると考えられるため、グループを同一の送電線から給電を受ける近接した需要家をグループ化することにより、特定の送電線（配電線）の過負荷や電圧を考慮し、二次電池への充電スケジュールの調整を行うことができる。
【００１７】
（４）本発明は、（１）または（３）の充電制御システムについて、前記系統運用側装置と前記中間処理装置、前記中間処理装置と前記需要家側装置が、インターネット網を介して通信可能に接続されていることを特徴とする充電制御システムを提案している。
【００１８】
この発明によれば、系統運用側装置と中間処理装置、中間処理装置と需要家側装置が、インターネット網を介して通信可能に接続されている。したがって、データを高速に配信することができ、需要家側装置のモニターに充電スケジュールを表示して確認することができる。
【００１９】
（５）本発明は、（１）の充電制御システムについて、前記系統運用側装置と前記中間処理装置、前記中間処理装置と前記需要家側装置が、電力線通信により通信可能に接続されていることを特徴とする充電制御システムを提案している。
【００２０】
この発明によれば、系統運用側装置と中間処理装置、中間処理装置と需要家側装置が、電力線通信により通信可能に接続されている。したがって、データを高速に配信することができ、需要家側装置のモニターに充電スケジュールを表示して確認することができる。
【００２１】
（６）本発明は、系統運用側装置と中間処理装置と需要家側装置とからなり、１日のうちで予め定められた時間帯の電力により需要家側に設置された二次電池への充電を制御するための充電制御システムにおける充電制御方法であって、前記系統運用側装置が、複数の需要家からなるグループを生成する第１のステップ（例えば、図9のステップＳ１０１に相当）と、前記生成されたグループに対応して設けられた前記中間処理装置が、前記グループ内の各需要家の前記二次電池の充電状態を取得する第２のステップ（例えば、図9のステップＳ１０２に相当）と、前記グループ内の各需要家から充電スケジュールを収集し、グループ充電スケジュールを生成する第３のステップ（例えば、図9のステップＳ１０３に相当）と、該生成したグループ充電スケジュールと需要家の二次電池が前記時間帯の終了時に予定された充電レベルとなるために必要な電力量とから調整条件を算出する第４のステップ（例えば、図9のステップＳ１０４に相当）と、前記生成したグループ充電スケジュールと前記算出した調整条件とを前記系統運用側装置に送信する第５のステップ（例えば、図9のステップＳ１０５に相当）と、前記系統運用側装置が、前記調整条件の範囲で系統運用に好ましいように前記グループ充電スケジュールを補正する第６のステップ（例えば、図9のステップＳ１０６に相当）と、該補正グループ充電スケジュールを前記中間処理装置に送信する第７のステップ（例えば、図9のステップＳ１０７に相当）と、前記中間処理装置が、前記補正後のグループ充電スケジュールに基づいて、グループ内の各需要家の前記充電スケジュールを変更する第８のステップ（例えば、図9のステップＳ１０８に相当）と、該変更後の補正需要家別充電スケジュールを各需要家に送信する第９のステップ（例えば、図9のステップＳ１０９に相当）と、前記需要家側装置が、受信した前記補正需要家別充電スケジュールに基づいて、前記二次電池の充電を制御する第１０のステップ（例えば、図９のステップＳ１１０に相当）と、を有することを特徴とする充電制御方法を提案している。
【００２２】
この発明によれば、複数の需要家の二次電池をグループ化し、これを集合的に処理する中間処理装置を設け、需要家側装置と中間処理装置との間では、需要家ごとの二次電池の充電スケジュールを管理し、中間処理装置と系統運用側装置との間では、系統への影響度に応じて、グループ化した需要家の集合に応じた二次電池への充電スケジュールの調整を行う。したがって、中間処理装置が系統運用側装置と需要家側装置との間の情報を取りまとめて仲介することにより、電力系統運用側の処理負荷およびを需要家側の設備負担等が必要以上に大きくなることを抑制することができる。
【発明の効果】
【００２３】
本発明によれば、中間処理装置が系統運用側装置と需要家側装置との間の情報を取りまとめて仲介することにより、電力系統運用側の処理負荷およびを需要家側の設備負担等を大きくすることなく、効率的に需要家の二次電池の充電制御を行うことができるという効果がある。
【００２４】
また、グループを電力系統への影響度が同等な例えば、同一の送電線から給電を受ける近接した需要家から構成することから、系統運用側装置が、系統への影響度に応じて、グループ化した需要家の集合に応じた二次電池への充電スケジュールの調整を行うのに際して、適切に、二次電池への充電スケジュールの調整を行うことができるという効果がある。
【図面の簡単な説明】
【００２５】
【図１】本発明に係る充電制御システムの構成を示す図である。
【図２】本発明の第１の実施形態に係る系統運用側装置の構成を示す図である。
【図３】本発明の第１の実施形態に係る中間処理装置の構成を示す図である。
【図４】本発明の第１の実施形態に係る需要家側装置の構成を示す図である。
【図５】各需要家が中間処理装置に提示する充電スケジュールとグループ充電スケジュールを例示的に示した図である。
【図６】条件として電力上限値が設定されたときの、補正グループ充電スケジュールおよびそれに対応する各需要家の充電スケジュールを例示的に示した図である。
【図７】時間帯を区切ってシフトする調整条件のときの、補正グループ充電スケジュールを例示的に示した図である。
【図８】時間帯を区切ってシフトする調整条件のときの、それに対応する各需要家の充電スケジュールを例示的に示した図である。
【図９】本発明の第１の実施形態に係る充電制御システムの処理フローである。
【図１０】本発明の第２の実施形態に係る系統運用側装置の構成を示す図である。
【図１１】本発明の第２の実施形態に係る系統運用側装置の処理フローである。
【発明を実施するための形態】
【００２６】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２７】
＜充電制御システムの構成＞
図１を用いて、本発明に係る充電制御システムの構成について説明する。各需要家は送電線を介して電力系統に接続されている。ここで送電線とは、電圧によらず広く電力を送電するものを指し、配電線と言われるものも含む概念である。また、系統運用とは配電線の運用も含む概念である。
【００２８】
本発明に係る充電制御システムは、図１に示すように、系統運用側装置１００と、中間処理装置２００と、需要家側装置３００とから構成され、系統運用側装置１００と中間処理装置２００間および中間処理装置２００と需要家側装置３００間は、ネットワークにより通信可能に接続されている。ここで、ネットワークは、例えば、インターネット網でもよいし、電力線通信網であってもよく、遠距離間において、高速なデータ通信を行えるものであれば、他の方式によるものであってもよい。
【００２９】
本発明においては、複数の需要家の二次電池をグループ化し、これを集合的に処理する中間処理装置を設け、需要家側装置と中間処理装置との間では、需要家ごとの二次電池の充電スケジュールを管理し、中間処理装置と系統運用側装置との間では、系統への影響度に応じて、グループ化した需要家の集合に応じた二次電池への充電スケジュールの調整を行う。
【００３０】
＜第１の実施形態＞
図１から図８を用いて、本発明の第１の実施形態について、詳細に説明する。
【００３１】
＜系統運用側装置の構成＞
本実施形態に係る系統運用側装置は、図２に示すように、需要家情報格納部１０１と、グループ生成部１０２と、受信部１０３と、需要予測部１０４と、送電線負荷解析部１０５と、グループ充電スケジュール補正部１０６と、送信部１０７とから構成されている。
【００３２】
ここで、需要家情報格納部１０１は、各需要家ごとに、その所在エリアや給電を受ける送電線情報を関連付けたデータベースである。グループ生成部１０２は、複数の需要家からなるグループを生成する。なお、グループは、電力系統への影響度が同等である需要家から構成することが望ましい。具体的には、同一の送電線から給電を受ける近接した需要家から構成することが望ましい。これは、系統への影響度に応じて、グループ化した需要家の集合に応じた二次電池への充電スケジュールの調整を行うためである。
【００３３】
受信部１０３は、後述する中間処理装置２００からグループ生成部１０２が生成したグループごとのグループ充電スケジュールと調整条件に関する情報を受信する。需要予測部１０４は、時間ごとの温度変化等の気象条件等から電力の需要を予測する。送電線負荷解析部１０５は、需要予測部１０４の需要予測等に基づいて、各送電線の負荷状況を解析する。
【００３４】
グループ充電スケジュール補正部１０６は、受信したグループ充電スケジュールに対して、調整条件の範囲で、電力需要予測および送電線負荷の解析結果等を用いて、系統運用に好ましいようにその補正を行う。ここで系統運用に好ましいとは、送電線に過負荷あるいは過電圧が生じないことや、負荷が平滑化される、送電線の損失が小さくなる等、系統運用者に好ましい事象すべてを含む概念である。送信部１０７は、グループ充電スケジュール補正部１０６により補正された補正グループ充電スケジュールを後述する中間処理装置２００に送信する。
【００３５】
＜中間処理装置の構成＞
本実施形態に係る中間処理装置は、図３に示すように、受信部２０１と、グループ充電スケジュール生成部２０３と、調整条件算定部２０４と、需要家別充電スケジュール補正部２０５と、送信部２０６とから構成されている。１の中間処理装置は複数のグループを扱うことができるが、１つのグループが２以上の中間処理装置にまたがって管理されることはない。
【００３６】
ここで、受信部２０１は、系統運用側装置１００から補正グループ充電スケジュールを受信するとともに、後述する各需要家側装置３００から二次電池の充電状態情報と各需要家の需要家別充電スケジュールとを受信する。
【００３７】
グループ充電スケジュール生成部２０３は、受信した需要家別充電スケジュールからグループ全体のグループ充電スケジュールを生成する。
【００３８】
調整条件算定部２０４は、各需要家ごとの充電状態情報、各需要家ごとの充電スケジュールと、機器情報に基づいて、グループ全体の調整条件を算出する。
【００３９】
需要家別充電スケジュール補正部２０５は、系統運用側装置１００から受信した補正グループ充電スケジュールに基づいて、グループに属する需要家別充電スケジュールを補正する。送信部２０６は、グループ充電スケジュールと調整条件とを系統運用側装置１００に送信するとともに、補正需要家別充電スケジュールを需要家側装置３００に送信する。
【００４０】
＜需要家側装置の構成＞
本実施形態に係る需要家側装置は、図４に示すように、二次電池３０１と、二次電池制御部３０２と、充電量取得部３０３と、送信部３０４と、受信部３０５とから構成されている。
【００４１】
ここで、二次電池制御部３０２は、中間処理装置２００から受信した需要家別充電スケジュールに基づいて、二次電池３０１の充放電制御を行う。充電量取得部３０３は、二次電池３０１から充電量に関する情報を取得する。
【００４２】
送信部３０４は、充電量取得部３０３が取得した充電量に関する情報を中間処理装置２００に送信する。受信部３０５は、中間処理装置２００から補正需要家別充電スケジュールを受信し、二次電池制御部３０２に出力する。
【００４３】
＜各需要家が中間処理装置に提示する充電スケジュールと調整条件について＞
図５を用いて、各需要家が中間処理装置に提示する充電スケジュールと調整条件について説明する。
【００４４】
図５は、各需要家から中間処理装置に提示する充電スケジュールを例示している。図中、（ａ）は、グループに属する「需要家Ａの充電スケジュール」を示しており、同様に、（ｂ）は、グループに属する「需要家Ｂの充電スケジュール」を、（ｃ）は、グループに属する「需要家Ｃの充電スケジュール」を示している。各図の横軸は、時間帯、縦軸は電力を示し、面積が電力量となる。ここで各需要家の二次電池は１０ｋＷｈ／２ｋＷのシステムで、需要家ＡはＳＯＣ４０％、Ｂは６０％、Ｃは０％としている。なお、充電時間帯としては、いわゆる夜間電力の時間帯である２３時から翌朝７時までを示しているが、これは、あくまでも例示であって、これに限定されるものではない。
【００４５】
＜グループ充電スケジュール＞
図５（ｄ）は、Ａ、Ｂ、Ｃから構成されるグループのグループ充電スケジュールである。このグループ充電スケジュールと、これを補正するにあたっての条件を、中間処理システムから系統運用側システムへ送信する。各需要家においては、機器の定格電力を超えずに、充電スケジュールの面積に該当する電力量を、充電時間帯の終了までに蓄電する必要があるので、補正にあたっての条件は、面積を変えないことと、補正グループ充電スケジュールが各需要家の充電スケジュールに定格電力を超過することなく割り戻すことができることである。
＜補正グループ充電スケジュール＞
【００４６】
例えば、各需要家の二次電池定格電力の総和の７０％（この例では４．２ｋＷ、図６（ａ）の点線）を超過しないことを条件とした場合には、図６（ａ）のような補正が可能である。ここでは明け方のピークをならしている。
【００４７】
また、充電時間帯をいくつかに分割し、それの入れ替えのみを許すという条件も設定できる。この例では、図７（ａ）のように８時間を１時間ずつＡ〜Ｈにわけて、これを適宜入れ替え図７（ｂ）のように明け方のピークを深夜にシフトしている。
【００４８】
図６（ａ）、図７（ｂ）に示すような補正グループ充電スケジュールの作成は、系統運用側装置１００のグループ充電スケジュール補正部１０６で行われるものである。補正グループ充電スケジュールの作成にあたっては、系統運用側装置１００は、送電線の負荷や、各ノードでの電圧、需要予測等を考慮し、調整条件を満たす範囲で系統運用者に都合の良いようなスケジュールへ変更する。
【００４９】
＜補正需要家別充電スケジュール＞
図６（ｂ）、（ｃ）、（ｄ）および図８（ｃ）、（ｄ）、（ｅ）は、系統運用側装置１００のグループ充電スケジュール補正部１０６において補正された補正グループ充電スケジュールを満足するように、各需要家から提示された充電スケジュールを中間処理装置２００が変更したものの例である。
【００５０】
つまり、中間処理装置２００は、系統運用側装置１００のグループ充電スケジュール補正部１０６において補正された補正グループ充電スケジュールを満足するように、各需要家から提示された充電スケジュールにおける総電力量（図形の面積）を維持しつつ、充電時間帯および各時間帯における電力を調整し、調整後の補正需要家別充電スケジュールを各需要家に送信し、各需要家は、受信した補正需要家別充電スケジュールに基づいて二次電池の充電を実施する。
【００５１】
＜充電制御システムの処理＞
図９を用いて、本実施形態に係る充電制御システムの処理について説明する。
【００５２】
まず、系統運用側装置１００が、複数の需要家からなるグループを生成する（ステップＳ１０１）。生成されたグループに対応して設けられた中間処理装置２００が、グループ内の各需要家の二次電池の充電状態を取得し（ステップＳ１０２）、グループ内の各需要家から充電スケジュールを収集し、グループ充電スケジュールを生成する（ステップＳ１０３）。そして、生成したグループ充電スケジュールと充電時間終了に求められる充電レベルになるために必要な電力量とから調整条件を算出して（ステップＳ１０４）、生成したグループ充電スケジュールと算出した調整条件とを系統運用側装置１００に送信する（ステップＳ１０５）。
【００５３】
系統運用側装置１００は、系統運用側装置が、調整条件を満たす範囲で、系統運用側の都合に合わせてグループ充電スケジュールを補正し（ステップＳ１０６）、補正グループ充電スケジュールを中間処理装置２００に送信する（ステップＳ１０７）。
【００５４】
中間処理装置２００は、補正グループ充電スケジュールに基づいて、グループ内の各需要家の充電スケジュールを変更して補正需要家別充電スケジュールを生成し（ステップＳ１０８）、補正需要家別充電スケジュールを各需要家に送信する（ステップＳ１０９）。そして、需要家側装置３００が、受信した補正需要家別充電スケジュールに基づいて、二次電池の充電を制御する（ステップＳ１１０）。
【００５５】
以上、説明したように、本実施形態によれば、中間処理装置が系統運用側装置と需要家側装置との間の情報を取りまとめて仲介することにより、電力系統運用側の処理負荷およびを需要家側の設備負担等を大きくすることなく、効率的に需要家の二次電池の充電制御を行うことができる。また、グループを電力系統への影響度が同等な例えば、同一の送電線から給電を受ける近接した需要家から構成することから、系統運用側装置が、系統への影響度に応じて、グループ化した需要家の集合に応じた二次電池への充電スケジュールの調整を行うのに際して、適切に、二次電池への充電スケジュールの調整を行うことができる。
【００５６】
＜第２の実施形態＞
図１０および図１１を用いて、本発明の第２の実施形態について説明する。第１の実施形態では、系統運用側装置１００が、中間処理装置２００から受信したグループ充電スケジュールと調整条件とに基づき、電力の需要予測と送電線の負荷を考慮して、受信したグループ充電スケジュールを補正する処理を行っていたが、本実施形態では、中間処理装置２００から受信したグループ充電スケジュールと調整条件と、過去に生成した補正グループ充電スケジュールとを関連付けたデータベースを備え、このデータベースから類似する調整条件とグループ充電スケジュールとを検索し、この検索した補正後のグループ充電スケジュールに対して補正処理を行う点において特徴を有する。
【００５７】
＜系統運用側装置の構成＞
図１０を用いて、系統運用側装置の構成について説明する。図１０に示すように、系統運用側装置は、需要家情報格納部１０１と、グループ生成部１０２と、受信部１０３と、需要予測部１０４と、送電線負荷解析部１０５と、送信部１０７と、充電スケジュールデータベース１１１と、補正グループ充電スケジュール選択部１１２と、グループ充電スケジュール補正部１１３とから構成されている。なお、第１の実施形態と同様の符号を付す構成要素については、同様の機能を有することから、その詳細な説明は省略する。
【００５８】
充電スケジュールデータベース１１１は、過去のデータに基づいて、中間処理装置２００から受信したグループ充電スケジュールと調整条件と補正後のグループ充電スケジュールとを関連付けたデータベースである。
【００５９】
補正グループ充電スケジュール選択部１１２は、充電スケジュールデータベース１１１から類似する調整条件とグループ充電スケジュールとを検索し、これに対応する補正後のグループ充電スケジュールを選択する。グループ充電スケジュール補正部１１３は、補正グループ充電スケジュール選択部１１２が選択した補正後の補正グループ充電スケジュールに対して、電力の需要予測と送電線の負荷を考慮して、補正処理を行う。
【００６０】
＜系統運用側装置の処理＞
図１１を用いて、系統運用側装置の処理について説明する。
まず、中間処理装置２００からグループ充電スケジュールおよび調整条件に関する情報を受信し（ステップＳ２０１）、受信したグループ充電スケジュールおよび調整条件に関する情報に基づいて、類似する補正グループ充電スケジュールを充電スケジュールデータベースから選択する（ステップＳ２０２）。
【００６１】
そして、選択した補正グループ充電スケジュールに対して、需要予測情報および送電線負荷情報を加味して補正処理を実施し（ステップＳ２０３）、補正処理後の補正グループ充電スケジュールを中間処理装置に送信する（ステップＳ２０４）。
【００６２】
以上、説明したように、本実施形態によれば、中間処理装置から受信したグループ充電スケジュールと調整条件と補正後のグループ充電スケジュールとを関連付けたデータベースを備え、このデータベースから類似する調整条件とグループ充電スケジュールとを検索し、この検索した補正後のグループ充電スケジュールに対して補正処理を行う、いわゆる、学習制御により充電スケジュールの補正を行うため、系統運用側装置の補正処理負荷を軽減することができる。
【００６３】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６４】
１００；系統運用側装置
１０１；需要家情報格納部
１０２；グループ生成部
１０３；受信部
１０４；需要予測部
１０５；送電線負荷解析部
１０６；グループ充電スケジュール補正部
１０７；送信部
１１１；充電スケジュールデータベース
１１２；補正グループ充電スケジュール選択部
１１３；グループ充電スケジュール補正部
１２１；推奨グループ充電スケジュール生成部
２００；中間処理装置
２０１；受信部
２０３；グループ充電スケジュール生成部
２０４；調整可能電力算定部
２０５；需要家別充電スケジュール補正部
２０６；送信部
２１１；グループ充電スケジュール補正部
２１２；送信部
３００；需要家側装置
３０１；二次電池
３０２；二次電池制御部
３０３；充電量取得部
３０４；送信部
３０５；受信部
【図１】
2011254617.tif 000003
【図２】
2011254617.tif 000004
【図３】
2011254617.tif 000005
【図４】
2011254617.tif 000006
【図５】
2011254617.tif 000007
【図６】
2011254617.tif 000008
【図７】
2011254617.tif 000009
【図８】
2011254617.tif 000010
【図９】
2011254617.tif 000011
【図１０】
2011254617.tif 000012
【図１１】
2011254617.tif 000013